(57)【要約】【課題】受取りを拒否されがちな広告等のチラシ類を、喜んで受取ってもらえるようにする広告等のシート材を収納した収納容器を提供する。【解決手段】  折り畳みもしくは丸めることが可能なシート材と、前記シート材を折り畳み若しくは丸めて収納する容器本体を一つの基材から切り出して形成した切り出し部材を有し、前記切り出し部材の前記シート材を折り畳みもしくは丸めた状態で前記容器本体内に収納したことを特徴とする収納容器である。この収納容器では、受取りを拒否されがちな広告等のチラシ類を、喜んで受取ってもらえるようにすることができる。たとえば広告印刷された布、不織布、プラスチックフィルム等は、単なるシート材（紙等）の場合と違って受取り手に「直ぐにすてるのは惜しい」と思わせ、持ちかえったり、保存されたり、あるいは他の用途に再利用されることが多くなり、広告の効果がそれだけ高まることが期待できる。【選択図】    図１
0003120870.tif 000002
【実用新案登録請求の範囲】
【請求項１】
折り畳みもしくは丸めることが可能なシート材と、前記シート材を折り畳み若しくは丸めて収納する容器本体とを一つの基材から切り出して形成した切り出し部材を有し、前記切り出し部材の前記シート材を折り畳みもしくは丸めた状態で前記容器本体内に収納したことを特徴とする収納容器。
【請求項２】
前記シート材および容器本体は１枚の基材から、シート材および容器本体を展開した状態で切り出したことを特徴とする請求項１に記載の収納容器。
【請求項３】
前記容器本体は多角柱、多面体、球体状等の組み立て式容器であることを特徴とする請求項１または請求項２に記載の収納容器。
【請求項４】
前記シート材および容器本体を切り出す一枚の基材は、紙、プラスチックフィルム、金属箔、布、不織布、ゴムなどのシート材であることを特徴とする請求項１〜請求項３のいずれかに記載の収納容器。
【請求項５】
前記容器本体内に化粧品や食品、ノベルティー、文具、家庭用品等のサンプルやフィギャ（人形、模型）等の収納品を収納することを特徴とする請求項１〜請求項４のいずれかに記載の収納容器。
【考案の詳細な説明】
【技術分野】
【０００１】
本考案は、受取りを拒否されがちな広告等のチラシ類を喜んで受取ってもらえるようにする、広告等のシート材を収納した収納容器に関するものである。
【背景技術】
【０００２】
従来より、広告等のチラシは新聞折り込みだけでなく、たとえば折り畳んだ状態で封筒に入れたり、ティッシュペーパー等と一緒にして、駅前の街頭等で配付されたりしている。
【０００３】
また、シート材を容易に広げたり、折り畳んだりできる、シート材の折り畳み方についての効果的な折り畳み法に関する提案等も行われている（特許文献１）。
【０００４】
【特許文献１】特許第３１３９９５５号
【考案の開示】
【考案が解決しようとする課題】
【０００５】
しかしながら、上記のようなシート材を折り畳んだ広告等は、それが広告等のチラシであることが一目瞭然であり、受取った消費者はそのまま廃棄してしまうことが多く、さらにティッシュペーパー状のものと組み合わせたものにおいては、受取り人（消費者）はティッシュペーバーの包みだけを抜取り、チラシ等は廃棄してしまうことが多く、有効なチラシ配布方法とはいえなかった。
上記のような問題点を解決するために、本出願人は広告チラシなどを収納できる新しい形態の収納容器を提案している（特許文献１）。
【特許文献１】実用新案登録第３１１６１６５号。  しかしながら、上記登録済の考案は、広告等を印刷するシート材と、折り畳んだシート材を収納する容器本体とを別々に製作し、それらを糊等で固着した状態で、シート材を折り畳み、容器本体内に収納する構成となっているため、シート材と容器本体とを糊等で固着する作業が必要となり、作業工程が面倒となる。  そこで本考案は、シート材と容器本体とを一つの基材から切り出し組立ることができる収納容器を提案することにより上記従来の問題点を解決する。
【課題を解決するための手段】
【０００６】
このため、本考案が採用した技術解決手段は、
折り畳みもしくは丸めることが可能なシート材と、前記シート材を折り畳み若しくは丸めて収納する容器本体とを一つの基材から切り出して形成した切り出し部材を有し、前記切り出し部材の前記シート材を折り畳みもしくは丸めた状態で前記容器本体内にに収納したことを特徴とする収納容器である。
また、前記シート材および容器本体は１枚の基材から、シート材および容器本体を展開した状態で切り出したことを特徴とする収納容器である。
また、前記容器本体は多角柱、多面体、球体状等の組み立て式容器であることを特徴とする収納容器である。
また、前記シート材および容器本体を形成する一枚の基材は、紙、プラスチックフィルム、金属箔、布、不織布、ゴムなどのシート材であることを特徴とする収納容器である。  また、前記容器本体内に化粧品や食品、ノベルティー、文具、家庭用品等のサンプルやフィギャ（人形、模型）等の収納品を収納することを特徴とする収納容器である。
【考案の効果】
【０００７】
本考案によれば、
１．受取りを拒否されがちな広告等のチラシ類を、喜んで受取ってもらえるようにすることができる。たとえば広告印刷された容器に収納された布、不織布、プラスチックフィルム等は、単なるシート材（紙等）の場合と違って受取り手に「直ぐにすてるのは惜しい」と思わせ、持ちかえったり、保存されたり、あるいは他の用途に再利用されることが多くなり、広告の効果がそれだけ高まることが期待できる。
２．シート材および容器本体の内外面には適宜印刷を施し、広告や案内、説明書、チラシ、おしらせ等に使うことができる。
３．収納容器内にシート材といつしよに化粧品や食品、ノベルティー、文具、家庭用品等のサンプルやフィギャ（人形、模型）等を収納することにより、この収納容器の魅力度はさらに強まり、シート（チラシ）の訴求度は一層強まる。
等の優れた作用効果を達成することができる。
４．シート材および容器本体を１枚の基材からシート材および容器本体を展開した状態で切り出し、それを組み立てることができるようにしたことで、容器を安価に大量に製造することができる。
等の優れた効果を奏することができる。
【考案を実施するための最良の形態】
【０００８】
本考案は、組み立てが簡単な箱状の収納容器に、その容器と一体で切り出されたシート材（チラシ）を折り畳んで収納し、収納容器を開けるとシート材が現れる構造のため、受取り手に好奇心を抱かせ、このシート材に印刷した広告等を受取り手に読まずにはいられないようにすることができる。
前記シート材および容器本体には印刷を施し、広告や案内、説明書、チラシ、お知らせ等に使えるようにする。また、収納容器の内部に収納するシート材は、容器本体と一体の基材から切り出すことにより、シート材と容器本体とが一体化されて切り出された切り出し部材とされている。このため、収納容器を開けてもシートが容器本体と一体となっているため容器内から落ちることはない。
また収納容器は、三角柱状のものが製造コストも安く、また組み立て易いので理想的だが、必ずしも三角柱の形状に限定することはなく、三角錐、球、円筒、円柱或いは立方体、４角柱または６面体、６角柱、８面体、８角柱、等の多面体、多面柱でもよい。
【実施例】
【０００９】
以下、本考案にかかる収納容器の実施例を図面を参照して説明すると、図１は本考案に係る実施例としての収納容器の展開図、図２は本考案に係る他の実施例としての収納容器の展開図、図３は同収納容器を組立てて行く途中の斜視図、図４は同容器を組み立てた状態の斜視図である。
【００１０】
図１において、収納容器１０は例えばボール紙等の基材を図１に示す展開状態となるように切断した容器本体１を有し、その容器本体１には折れ線２、および上下蓋部材３ａ、３ｂが形成されている。このように形成された容器本体１では、折れ線２を利用して折り曲げながら、図３、図４に示すように収納容器として組み立てることができる。図１に示すものは容器形状が三角柱状であり、この容器本体は、図１に示すように、容器本体と一体に展開され、容器本体の上下を塞ぐ、上、下蓋部材３ａ、３ｂを備えている。蓋部材３ａ、３ｂには、容器本体１を組立た状態の時、両端の開口部を閉じることができる三角形状として構成されており、また必要に応じて、上、下蓋部材３ａ、３ｂには隣同士の蓋部材を結合するための切り込み４等が形成されている。なお上、下蓋部材３ａ、３ｂとしては、本例のように基材から切り出した容器本体と一体に展開できるものが安価で、製造し易く、そのように構成することが望ましいが、必ずしも容器本体と蓋部材とは一体とする必要はなく別体の蓋部材を利用することも可能である。
【００１１】
前記収納容器１０の容器本体１には、容器本体１と同じ基材からなるシート材５が一体に切り出され、一つの切り出し部材として形成されている。シート材５は折り畳んだ状態または丸めた状態で容器内に収納できるように構成され、シート材５の適宜箇所には広告等が印刷されている。シート材５は、図１に示すように適宜の折れ線７を利用して折り畳むことが可能であり、またシート材５は、前述した特許第３１３９９５５号にも開示されているような、容易に拡げられて（このときも折り目は消えることなく）再び折畳み可能な折り目を有する折り畳み方法で折り畳まれたりあるいは丸める等して収納容器１０内に収納することができる。
【００１２】
シート材５を丸めた状態で収納容器１０内に収納できる他の実施例を図２に示す。
容器本体１およびシート材５を形成する基材は、紙であっても、あるいは通常その上に文字の印刷が可能な紙状のプラスチック材料であっても、または布や不織布であってもよい。さらに、容器本体１内に収納される折り畳んだシート（チラシ）５は、容器本体１を開けるとシート材５が現れ、或いは飛び出してくる仕組みとすることもできる。
【００１３】
容器本体１を組み立てて構成した収納容器１０内にシート材５を収納する際は、折り目が付く程しっかりと、且つ規則性をもって折り畳んでも良いが、図２に示すように折り目を付けずに、シートが平坦な状態に戻ろうとする弾力性を残したまま軽く折り畳んで、或いはシート材を丸めて収納することもできる。
また、収納容器１０は図４のような三角柱状のものが製造コストも安く、また組み立て易いので理想的だが、必ずしも三角柱の形状に限定することはなく、たとえば、三角錐でも構わないし、１枚の基材（材料）から蓋部材を含む容器の展開状態に容器本体を切取り、それを簡単に組み立てられる方法が講じられれぱ、或いは安価で組み立てた状態に製造できるなら、球、円筒、円柱或いは立方体、４角柱または６面体、６角柱、８面体、、８角柱、等の多面体，多面柱でも構わない。
【００１４】
以上のように構成した収納容器１０は、図３に示すように容器本体１の内部にチラシ等のシート材５を折り畳み収納した状態で組み立てると、図４のような形状となる。このような収納容器とすることで、この収納容器が駅前等で配られると、受取り人は容器の中に何かが入っていると想像し、積極的に収納容器を受取り、容器を開く。こうして、収納容器内のシート材５が目に触れることとなり、シート材５による宣伝効果が向上する。
また、収納容器１０内にシート材５とは別に、化粧品等の商品見本等を入れておくと、消費者はチラシの説明文と共にその商品の効果を確認することができ、より一層宣伝効果があがることになる。
【００１５】
以上、本実施形態の一例を説明したが、容器内に収納する商品見本としては、食品、化粧品、家庭用品等広く対象とすることができ、シート材と一体である見本収納用基材には紙以外に種々のプラスチックフィルムや布等を使用することができる。また商品見本は１個づつとして構成したり、例えば複数の見本を一つの容器内に収納することもできる。さらに、容器の内部に折り畳んだシート（チラシ）を収納し、容器を開けるとシートが現れ、或いは飛び出してくる仕組みのものを採用することもできる。
【００１６】
シートには印刷を施し、広告や案内、説明書、チラシ、お知らせ等に使えるようにする。容器内にシートを収納する際は、折り目が付く程しっかりと、且つ規則性をもって折り畳んでも良いが、折り目を付けずに、シートが平坦な状態に戻ろうとする弾力性を残したまま軽く折り畳んで、或いはまるめて収納しても良い。
【００１７】
また、収納容器およびシート材を形成する基材は紙に限定せず、薄いフィルム状のプラスチックでも、布、不織布、ゴム、金属箔でも構わない。広告印刷された布、不織布、プラスチックフィルム等は、紙の場合と違って受取り手に「直ぐに捨てるのは惜しい」と思わせ、持ちかえったり、保存されることが多くなり、広告の効果がそれだけ高まることも期待できる。又受取り手が別の用途に再利用するならばチラシ、広告としての効果が一層高まることが期待できる。
収納容器の中に収納するものはシート状のものに限定されず、袋やその他の形状のものであってもよい。
【００１８】
さらに収納容器の中にシート材といつしよに化粧品や食品、ノベルティー、文具、家庭用品等のサンプルやフィギャ（人形、模型）等を収納すれぱ、この収納容器の魅力度はさらに強まり、シート（チラシ）の訴求度は一層強まる。こうして、サンプル等安価なギフトをこの容器の中に入れて配布することが或る程度常態化すると、容器中にサンプル等ギフトが入っていない揚合であっても、収納容器の中に「何か入っているのでは」という期待感を受け手に抱かせ、チラシの入っている収納容器の受取率を高める効果がある。
また、本考案はその精神又は主要な特徴から逸脱することなく他の色々な形で実施することができる。また、前述の実施例はあらゆる点で単なる例示に過ぎず、限定的に解釈してはならない。
【産業上の利用可能性】
【００１９】
本考案は、チラシや広告（シート材）等の新しい配布方法として利用できるだけでなく、化粧水、乳液、クリームなどの基礎化粧料、口紅やアイシャドー等のメークアップ化粧品、さらには洗剤やクレンザー等の家庭用品の商品見本を収納する商品見本収納容器にも利用することができる。
【図面の簡単な説明】
【００２０】
【図１】本考案の収納容器の平面展開図である。
【図２】本考案の収納容器の他の例の平面展開図である。
【図３】同収納容器の組立説明図である。
【図４】同収納容器の最終組立状態の説明図である。
【符号の説明】
【００２１】
１          容器本体
２          折れ線
３ａ、３ｂ  上、下蓋部材
４          切り込み
５          シート材（チラシ等）
７          折れ線
【図１】
0003120870.tif 000003
【図２】
0003120870.tif 000004
【図３】
0003120870.tif 000005
【図４】
0003120870.tif 000006